(57)【要約】      （修正有）【課題】本発明は、老人や病人、児童及びペットの大小便の収集のための装置に関し、大小便の逆流漏れの防止と収集の機能を有する使い捨て介護装置を提供すること。【解決手段】開閉可能な接合口が設けられた介護パンツ本体と、軟質不織布である外層及び高分子吸収層である内層が設けられ、前記外層の底部が閉鎖され、頂部に袋口が設けられた大小便収集袋と、中央に大小便収集口が設けられ、その一側が大小便収集袋の袋口に接合された収集トレーと、を含む大小便の逆流漏れの防止と収集の機能を有し、介護パンツ本体は男性用と女性用という２種類のものを含み、男性用介護パンツ本体１−１において前側と後側にそれぞれ１つの接合口が設けられ、女性用介護パンツ本体において後側に１つの接合口が設けられている。更に紙パンツに逆流漏れを防止する吸湿性着脱式排泄物収集構造を増設することにより、老人や病人が大小便を漏らす場合の排出と収集に適用される。【選択図】図２
2020156804.tif 000002
【特許請求の範囲】
【請求項１】
左右両側がいずれも開閉可能な紙パンツであり、接合口が設けられた介護パンツ本体と、
軟質不織布である外層及び高分子吸収層である内層が設けられ、底部が閉鎖され、頂部に袋口が設けられた大小便収集袋と、
中央に大小便収集口が設けられ、その一側が大小便収集袋の袋口に接合され、且つ介護パンツ本体における接合口に接合された収集トレーと、を含む、
ことを特徴とする大小便の逆流漏れの防止と収集の機能を有する使い捨て介護装置。
【請求項２】
前記介護パンツ本体の左右両側にそれぞれ上から下へ貫通する開口が設けられ、開口の両側の介護パンツ本体の表面にそれぞれ対応する粘着テープが設けられている、
ことを特徴とする請求項１に記載の大小便の逆流漏れの防止と収集の機能を有する使い捨て介護装置。
【請求項３】
前記介護パンツ本体は男性用と女性用という２種類のものを含み、男性用介護パンツ本体において前側と後側にそれぞれ１つの接合口が設けられ、女性用介護パンツ本体において後側に１つの接合口が設けられており、前記接合口が円形口であり、人体排泄位置に対応し、接合口の縁の介護パンツ本体の内表面に貼り付けテープが設けられている、
ことを特徴とする請求項２に記載の大小便の逆流漏れの防止と収集の機能を有する使い捨て介護装置。
【請求項４】
前記介護パンツ本体の外表面が軟質不織布であり、内表面が高分子吸水樹脂と毛羽繊維を複合した高分子吸収層である、
ことを特徴とする請求項３に記載の大小便の逆流漏れの防止と収集の機能を有する使い捨て介護装置。
【請求項５】
前記大小便収集袋は、内層の高分子吸収層が高分子吸水樹脂と毛羽繊維を複合した吸収層である、
ことを特徴とする請求項１に記載の大小便の逆流漏れの防止と収集の機能を有する使い捨て介護装置。
【請求項６】
前記大小便収集袋は、広げられた時にその袋口、袋底部及び袋本体の横断面がいずれも円形又は楕円形であり、大小便収集袋の袋口が収集トレーを介して介護パンツ本体における接合口に接合され、介護パンツ本体の前側に接合される大小便収集袋が第１の大小便収集袋であり、その袋口の直径が袋底部の直径より小さく、介護パンツ本体の後側に接合される大小便収集袋が第２の大小便収集袋であり、その袋口の直径が袋底部の直径と同等であり、第２の大小便収集袋において袋口の下に逆流防止環が設けられている、
ことを特徴とする請求項５に記載の大小便の逆流漏れの防止と収集の機能を有する使い捨て介護装置。
【請求項７】
前記収集トレーは円形であり、その裏面が大小便収集袋の袋口に対して縫い付けて接合することにより固定され、収集トレーの中央の大小便収集口が大小便収集袋の袋口と連通し、収集トレーの直径が介護パンツ本体における接合口の直径より大きく、前記収集トレーが接合口内に配置され、大小便収集袋の袋本体が接合口を介して介護パンツ本体の外へ延出している、
ことを特徴とする請求項１に記載の大小便の逆流漏れの防止と収集の機能を有する使い捨て介護装置。
【請求項８】
前記大小便収集袋の袋本体と収集トレーが鋭角となって、大小便収集袋の袋本体が介護パンツ本体の接合口から延出した後介護パンツ本体の底部へ傾斜し、大小便収集袋と収集トレーの接合箇所において大小便収集袋の外側への表面に大小便収集袋の長手方向に沿って突起する強化線が設けられている、
ことを特徴とする請求項７に記載の大小便の逆流漏れの防止と収集の機能を有する使い捨て介護装置。
【請求項９】
前記収集トレーは、その裏面において大小便収集袋の袋口との固定位置の外に、介護パンツ本体における接合口の縁の貼り付けテープに対応して接合する粘着領域が設けられている、
ことを特徴とする請求項８に記載の大小便の逆流漏れの防止と収集の機能を有する使い捨て介護装置。
【請求項１０】
前記収集トレーは、両面がそれぞれ軟質不織布層であり、２層の軟質不織布層の間に軟質プラスチックフィルム層が介在し、収集トレーの裏面が介護パンツ本体の内表面に向け且つ透明の粘着性被覆材を設けた粘着領域が設けられ、前記収集トレーの表面に環状目盛が設けられている、
ことを特徴とする請求項９に記載の大小便の逆流漏れの防止と収集の機能を有する使い捨て介護装置。
【発明の詳細な説明】
【技術分野】
【０００１】
本発明は、医療用設備中の無能力な老人や病人、児童及びペットの大小便の収集のための装置に関し、具体的には、大小便の逆流漏れの防止と収集の機能を有する使い捨て介護装置に関する。
【背景技術】
【０００２】
紙パンツのユーザー群は主として乳幼児と大人という二種類があり、即ち、幼児専用と大人専用のものに分けられており、いずれの場合にも使い捨て製品となっている。大人用紙パンツは、使い捨ての紙類尿失禁用品であり、大人用介護製品であり、主として失禁する大人に適用される廃棄式の紙パンツである。多数の製品は購入される時にシート状となり、着用した後パンツ型となる。貼付シートを利用してパンツになるように接合する。貼付シートは、様々な体の太り具合に適合するために、更に胴回りのサイズを調整する作用を有している。一般的には、紙パンツの構造は、内から外へ、不織布で製造され皮膚に密着する内層、吸水フラッフパルプであり高分子吸水剤が添加された中間層、非透水性プラスチックフィルムである外層といった３層に分けられている。
【０００３】
しかしながら、既存の大人用紙パンツにも、例えば、逆流漏れ防止性が強くなく、取り外して交換することが困難であり、大小便が紙パンツに排出された後皮膚と接触する面積が大きく、介護者が処理しにくいなどの様々な問題が存在している。
【発明の概要】
【発明が解決しようとする課題】
【０００４】
本発明の目的は、紙パンツに逆流漏れを防止する吸湿性着脱式排泄物収集構造を増設することにより、無能力な老人又は病人、児童及びペットが大小便を漏らす場合の排出と収集に適用される、男女性別によって使用される大小便の逆流漏れの防止と収集の機能を有する使い捨て介護装置を提供することである。
【課題を解決するための手段】
【０００５】
上記目的を達成するために、本発明は、左右両側がいずれも開閉可能な紙パンツであり、接合口が設けられた介護パンツ本体と、軟質不織布である外層及び高分子吸収層である内層が設けられ、底部が閉鎖され、頂部に袋口が設けられ、袋本体が袋口箇所を除いて全体的に密閉構造となり、袋口が収集トレーを介して介護パンツ本体における接合口に接合された大小便収集袋と、中央に大小便収集口が設けられ、その一側が大小便収集袋の袋口に接合され、且つ介護パンツ本体における接合口に接合された収集トレーと、を含む大小便の逆流漏れの防止と収集の機能を有する使い捨て介護装置を提供する。前記介護パンツは滅菌処理を行った使い捨て衛生用品である。
【０００６】
上記の大小便の逆流漏れの防止と収集の機能を有する使い捨て介護装置において、前記介護パンツ本体の左右両側にそれぞれ上から下へ貫通する開口が設けられ、介護パンツ本体を平面に広げることが可能になり、開口の両側の介護パンツ本体の表面にそれぞれ対応する粘着テープが設けられている。粘着テープは好ましくは貼付シート又はマジックテープ（登録商標）の形式であり、複数回繰り返して開閉することが可能である。そして、介護パンツ本体の上部縁に収縮性を有する弾性エッジが設けられている。
【０００７】
上記の大小便の逆流漏れの防止と収集の機能を有する使い捨て介護装置において、前記介護パンツ本体は男性用と女性用という２種類のものを含み、男性用介護パンツ本体において前側と後側にそれぞれ１つの接合口が設けられ、それぞれ第１の接合口と第２の接合口であり、女性用介護パンツ本体において後側に１つの接合口つまり第２の接合口が設けられており、前記接合口が円形口であり、人体排泄位置に対応し、接合口の縁の介護パンツ本体の内表面に貼り付けテープが設けられている。
【０００８】
上記の大小便の逆流漏れの防止と収集の機能を有する使い捨て介護装置において、前記介護パンツ本体の外表面が軟質不織布であり、内表面が高分子吸水樹脂と毛羽繊維を複合した高分子吸収層である。軟質不織布と高分子吸収層が一体に複合されている。
【０００９】
上記の大小便の逆流漏れの防止と収集の機能を有する使い捨て介護装置において、前記大小便収集袋は、内層の高分子吸収層が高分子吸水樹脂と毛羽繊維を複合した吸収層である。大小便収集袋の内層と外層が一体に複合されている。
【００１０】
上記の大小便の逆流漏れの防止と収集の機能を有する使い捨て介護装置において、前記大小便収集袋は、広げられた時にその袋口、袋底部及び袋本体の横断面がいずれも円形又は楕円形であり、大小便収集袋の袋口が収集トレーを介して介護パンツ本体における接合口に接合され、介護パンツ本体の前側の第１の接合口に接合される大小便収集袋が第１の大小便収集袋であり、その袋口の直径が袋底部の直径より小さく、介護パンツ本体の後側の第２の接合口に接合される大小便収集袋が第２の大小便収集袋であり、その袋口の直径が袋底部の直径と同等であり、第２の大小便収集袋において袋口の下に袋中の汚れ物が逆流することを回避する逆流防止環が設けられており、好ましくは湾曲可能なプラスチックシートで製造される。男性に使用される時に２つの大小便収集袋をそれぞれ男性用介護パンツ本体の対応位置に粘着し、女性に使用される時に第２の大小便収集袋を女性用介護パンツ本体の対応位置に粘着し、紙パンツを着用すればよい。
【００１１】
上記の大小便の逆流漏れの防止と収集の機能を有する使い捨て介護装置において、前記収集トレーは円形であり、その裏面が大小便収集袋の袋口に対して縫い付けて接合することにより固定され、収集トレーの中央の大小便収集口が大小便収集袋の袋口と連通し、大小便収集口の直径が大小便収集袋の直径より小さく、収集トレーの直径が介護パンツ本体における接合口の直径より大きく、前記収集トレーが接合口内の介護パンツ本体の内表面に配置され、大小便収集袋の袋本体が接合口を介して介護パンツ本体の外へ延出している。
【００１２】
上記の大小便の逆流漏れの防止と収集の機能を有する使い捨て介護装置において、前記大小便収集袋の袋本体と収集トレーが鋭角となって、大小便収集袋の袋本体が介護パンツ本体の接合口から延出した後介護パンツ本体の底部へ傾斜し、大小便収集袋と収集トレーの接合箇所において大小便収集袋の外側への表面に大小便収集袋の長手方向に沿って突起する強化線が設けられて、大小便収集袋の袋本体が締め付けられて収集トレーに対して鋭角を構成する。
【００１３】
上記の大小便の逆流漏れの防止と収集の機能を有する使い捨て介護装置において、前記収集トレーは、その裏面において大小便収集袋の袋口との固定位置の外に、介護パンツ本体における接合口の縁の貼り付けテープに対応して接合する粘着領域が設けられている。
【００１４】
上記の大小便の逆流漏れの防止と収集の機能を有する使い捨て介護装置において、前記収集トレーは、両面がそれぞれ軟質不織布層であり、２層の軟質不織布層の間に軟質プラスチックフィルム層が介在し、３層の構造が一体に固定され、収集トレーの裏面が介護パンツ本体の内表面に向け且つ透明の粘着性被覆材を設けた粘着領域が設けられている。軟質不織布層と軟質プラスチックフィルム層が一体に複合されている。粘着領域の粘着性被覆材料は、柔軟で、透明で、通気性に優れ、利用者の皮膚に損傷を与えない高分子弾性体である。収集トレーには、粘着領域の他に、更に取り外して交換することを容易にするための粘着性被覆材料のない領域が設けられて、取り外す時に外力により大小便収集袋が破壊されて介護者の手を汚すことを回避する。前記収集トレーの表面に環状目盛が設けられて、具体的な状況に応じて収集トレーの目盛により中央の大小便収集口を裁断して、大小便収集口を必要なサイズに調整して、利用者の要求に適合することが可能である。
【発明の効果】
【００１５】
本発明に係る大小便の逆流漏れの防止と収集の機能を有する使い捨て介護装置は、以下の長所を有している。
【００１６】
本発明は、長期的に床についたきり起きられない無能力な老人、病人、児童及びペットの正常排便（大便と小便を含む）を収集する用途に広く応用可能であり、具体的には手術後の病人、無能力な老人、麻痺になった病人、帝王切開による出産、体の不自由な人、意識不明、植物状態の患者、身体障害者、長期的に床についたきり起きられない人、大小便失禁者、連続して点滴を注射される者、移動する時に遺尿が発生する人、児童、ペット及び高速道路での緊急措置等に応用可能である。
【００１７】
本発明は、小便を急速に吸収し、大便をした後の汚染領域を減少し、大便が専用装置に入った後の皮膚との接触面積を減少することを確実に実現するために、設計に際して、軟性排泄物が利用者の寝姿勢によって逆流することを防止する逆流防止口を増設し、高分子吸水材料を採用して、汚染物により皮膚に床擦れと潰爛が発生する機会を大幅に減少する。
【００１８】
本発明の着脱式製品は、介護者にとって、使用する時に粘着領域を紙パンツにおける対応する孔の位置に粘着し、無能力な老人（病人）の排出する大小便が対応する大小便収集袋に入るように位置を決定し、指定されるところに処理することにより、作業強度を大幅に低減することができ、病人が大便を排出した場合にも１つの大便袋を交換すればよく、一日に大便を数回排出した場合にも、病人の体を左側、右側へ翻すだけで大小便収集袋を交換することができ、介護者の労働強度が大幅に軽減され、且つ経済的で安価である。床についたきり起きられない老人（病人）人と介護者の両方に確実に利便性を与える。利用者の個人の尊厳も保障される。なお、収集トレーに直径の目盛が設けられており、具体的な状況に応じて収集トレーの目盛により裁断して、大小便収集口を必要なサイズに調整して、利用者の要求に適合させることが可能である。粘着位置の粘着性被覆材料は、柔軟で、透明で、通気性に優れ、利用者の皮膚に損傷を与えない高分子弾性体である。収集トレーには、更に取り外して交換することを容易にするための粘着性被覆材料のない領域が設けられて、取り外す時に外力により大小便収集袋が破壊されて介護者の手を汚すことを回避する。
【図面の簡単な説明】
【００１９】
【図１】本発明の介護パンツの本体の模式図である。
【図２】本発明の男性用介護パンツの模式図である。
【図３】本発明の収集トレーの模式図である。
【図４】本発明の前側の第１の大小便収集袋の模式図である。
【図５】本発明の後側の第２の大小便収集袋の模式図である。
【図６】本発明の後側の第２の大小便収集袋の袋本体の断面の模式図である。
【図７】本発明の女性用介護パンツの模式図である。
【発明を実施するための形態】
【００２０】
以下、図面を参照しながら本発明を実施するための形態を更に説明する。
【００２１】
図１〜７に示すように、本発明に係る大小便の逆流漏れの防止と収集の機能を有する使い捨て介護装置は、左右両側がいずれも開閉可能な紙パンツであり、接合口４が設けられた介護パンツ本体１と、軟質不織布である外層５及び高分子吸収層である内層６が設けられ、底部が閉鎖され、頂部に袋口が設けられた大小便収集袋２と、中央に大小便収集口７が設けられ、その一側が大小便収集袋２の袋口に接合され、且つ介護パンツ本体１における接合口４に接合された収集トレー３と、を含む。
【００２２】
介護パンツ本体１の左右両側に、それぞれ上から下へ貫通する開口１１が設けられ、開口１１の両側の介護パンツ本体１の表面にそれぞれ対応する粘着テープ８が設けられている。
【００２３】
介護パンツ本体１は男性用と女性用という２種類のものを含み、男性用介護パンツ本体１−１において前側と後側にそれぞれ１つの接合口４が設けられ、女性用介護パンツ本体１−２において後側に１つの接合口４が設けられており、接合口４が円形口であり、人体排泄位置に対応し、接合口４の縁の介護パンツ本体１の内表面に貼り付けテープが設けられている。
【００２４】
介護パンツ本体１の外表面が軟質不織布であり、内表面が高分子吸水樹脂と毛羽繊維を複合した高分子吸収層である。
【００２５】
大小便収集袋２は、内層６の高分子吸収層が高分子吸水樹脂と毛羽繊維を複合した吸収層である。
【００２６】
大小便収集袋２は、広げられた時にその袋口、袋底部及び袋本体の横断面がいずれも円形又は楕円形になり、大小便収集袋２の袋口が収集トレー３を介して介護パンツ本体１における接合口４に接合され、介護パンツ本体１の前側に接合される大小便収集袋２が第１の大小便収集袋２−１であり、その袋口の直径が袋底部の直径より小さく、介護パンツ本体１の後側に接合される大小便収集袋２が第２の大小便収集袋２−２であり、その袋口の直径が袋底部の直径と同等であり、第２の大小便収集袋２−２において袋口の下に逆流防止環１３が設けられている。
【００２７】
収集トレー３は円形であり、その裏面が大小便収集袋２の袋口に対して縫い付けて接合することにより固定され、収集トレー３の中央の大小便収集口７が大小便収集袋２の袋口と連通し、収集トレー３の直径が介護パンツ本体１における接合口４の直径より大きく、収集トレー３が接合口内に配置され、大小便収集袋２の袋本体が接合口４を介して介護パンツ本体１の外へ延出している。
【００２８】
大小便収集袋２の袋本体と収集トレー３が鋭角となって、大小便収集袋２の袋本体が介護パンツ本体１の接合口４から延出した後介護パンツ本体１の底部へ傾斜し、大小便収集袋２と収集トレー３の接合箇所において大小便収集袋２の外側への表面に大小便収集袋２の長手方向に沿って突起する強化線１４が設けられている。
【００２９】
収集トレー３は、その裏面において大小便収集袋２の袋口との固定位置１５の外に、介護パンツ本体における接合口の縁の貼り付けテープに対応して接合する粘着領域９が設けられている。
【００３０】
収集トレー３は、両面がそれぞれ軟質不織布層であり、２層の軟質不織布層の間に軟質プラスチックフィルム層が介在し、収集トレー３の裏面が介護パンツ本体１の内表面に向け且つ透明の粘着性被覆材を設けた粘着領域９が設けられている。
【００３１】
収集トレー３の表面に環状目盛１０が設けられている。
【００３２】
以下、実施例を参照しながら本発明に係る大小便の逆流漏れの防止と収集の機能を有する使い捨て介護装置を更に説明する。
【００３３】
（実施例１）
介護パンツ本体１、大小便収集袋２、収集トレー３を含む大小便の逆流漏れの防止と収集の機能を有する使い捨て介護装置である。該介護パンツは滅菌処理を行った使い捨て衛生用品である。
【００３４】
介護パンツ本体１は左右両側がいずれも開閉可能な紙パンツであり、介護パンツ本体１に接合口４が設けられている。介護パンツ本体１の左右両側にそれぞれ上から下へ貫通する開口１１が設けられ、介護パンツ本体１を平面に広げることが可能になり、開口１１の両側の介護パンツ本体１の表面にそれぞれ対応する粘着テープ８が設けられている。粘着テープ８は好ましくは貼付シート又はマジックテープ（登録商標）の形式であり、複数回繰り返して開閉することが可能である。そして、介護パンツ本体１の上部縁に収縮性を有する弾性エッジ１２が設けられている。介護パンツ本体１は男性用と女性用という２種類のものを含み、男性用介護パンツ本体１−１において前側と後側にそれぞれ１つの接合口４が設けられ、それぞれ第１の接合口４−１と第２の接合口４−２であり、女性用介護パンツ本体１−２において後側に１つの接合口４つまり第２の接合口４−２が設けられており、接合口４が円形口であり、人体の排泄位置に対応し、接合口４の縁の介護パンツ本体１の内表面に貼り付けテープが設けられている。介護パンツ本体１の外表面が軟質不織布であり、内表面が高分子吸水樹脂と毛羽繊維を複合した高分子吸収層である。軟質不織布と高分子吸収層が一体に複合されている。
【００３５】
大小便収集袋２は、軟質不織布である外層５及び高分子吸収層である内層６が設けられ、底部が閉鎖され、頂部に袋口が設けられ、袋本体が袋口箇所を除いて全体的に密閉構造となる。大小便収集袋２の内層６の高分子吸収層が高分子吸水樹脂と毛羽繊維を複合した吸収層である。大小便収集袋２の内層６と外層５が一体に複合されている。大小便収集袋２は、広げられた時にその袋口、袋底部及び袋本体の横断面がいずれも円形又は楕円形になり、大小便収集袋２の袋口が収集トレー３を介して介護パンツ本体１における接合口４に接合され、介護パンツ本体１の前側の第１の接合口４−１に接合される大小便収集袋２が第１の大小便収集袋２−１であり、その袋口の直径が袋底部の直径より小さく、介護パンツ本体１の後側の第２の接合口４−２に接合される大小便収集袋２が第２の大小便収集袋２−２であり、その袋口の直径が袋底部の直径と同等であり、第２の大小便収集袋２−２において袋口の下に袋中の汚れ物が逆流することを回避する逆流防止環１３が設けられており、好ましくは湾曲可能なプラスチックシートで製造される。男性に使用される時に２つの大小便収集袋２をそれぞれ男性用介護パンツ本体１−１の対応位置に粘着し、女性に使用される時に第２の大小便収集袋２−２を女性用介護パンツ本体１−２の対応位置に粘着し、紙パンツを着用すればよい。
【００３６】
収集トレー３は中央に大小便収集口７が設けられ、その一側が大小便収集袋２の袋口に接合され、且つ介護パンツ本体１における接合口４に接合されている。収集トレー３は円形であり、その裏面が大小便収集袋２の袋口に対して縫い付けて接合することにより固定され、収集トレー３の中央の大小便収集口７が大小便収集袋２の袋口と連通し、大小便収集口の直径が大小便収集袋の直径より小さい。収集トレー３の直径が介護パンツ本体１における接合口４の直径より大きく、収集トレー３が接合口内の介護パンツ本体１の内表面に配置され、大小便収集袋２の袋本体が介護パンツ本体１における接合口４に通し、接合口４を介して介護パンツ本体の外へ延出している。大小便収集袋２の袋本体と収集トレー３が鋭角となって、大小便収集袋２の袋本体が介護パンツ本体１の接合口４から延出した後介護パンツ本体１の底部へ傾斜し、大小便収集袋２と収集トレー３の接合箇所において大小便収集袋２の外側への表面に大小便収集袋２の長手方向に沿って突起する強化線１４が設けられて、大小便収集袋２の袋本体が締め付けられて収集トレー３に対して鋭角を構成する。
【００３７】
収集トレー３は、その裏面において大小便収集袋２の袋口との固定位置１５の外に、介護パンツ本体１における接合口４の縁の貼り付けテープに対応して接合する粘着領域９が設けられている。収集トレー３は、両面がそれぞれ軟質不織布層であり、２層の軟質不織布層の間に軟質プラスチックフィルム層が介在し、３層の構造が一体に固定され、収集トレー３の裏面が介護パンツ本体１の内表面に向け且つ透明の粘着性被覆材を設けた粘着領域９が設けられている。軟質不織布層と軟質プラスチックフィルム層が一体に複合されている。粘着領域９の粘着性被覆材料は、柔軟で、透明で、通気性に優れ、利用者の皮膚に損傷を与えない高分子弾性体である。収集トレー３には、粘着領域９の他に、更に取り外して交換することを容易にするための粘着性被覆材料のない領域が設けられて、取り外す時に外力により大小便収集袋２が破壊されて介護者の手を汚すことを回避する。収集トレー３の表面に環状目盛１０が設けられて、具体的な状況に応じて収集トレー３の目盛により中央の大小便収集口７を裁断して、大小便収集口７を必要なサイズに調整して、利用者の要求に適合させることが可能である。
【００３８】
本発明に係る大小便の逆流漏れの防止と収集の機能を有する使い捨て介護装置は、男女用紙パンツの着用過程で大小便収集装置がないという欠点を改善し、構造が合理的で、使い勝手がよい直接排出式装置を提供する。大小便収集袋に排泄物逆流防止装置が採用され、且つ中間層に高分子吸湿材料が介在しており、利用者が平らに臥したり左右側へ臥したりする状態で排泄物の水分が急速に吸収されて、排泄物を乾燥させることが可能である。そして、皮膚汚染面が大幅に減少される。タイムリーに交換し、皮膚刺激を回避し、臨床合併症の発生を効果的に防止し、介護負担を低減し、患者の生活品質を高めた。
【００３９】
本発明の内容を上述した好ましい実施例により詳細に説明したが、上記説明は本発明を制限するものとみなしてはならない。当業者が上記内容を読んだ後、本発明に対する様々な修正や置き換えが明らかになる。従って、本発明の保護範囲は特許請求の範囲によって限定される。
【００４０】
（付記）
（付記１）
左右両側がいずれも開閉可能な紙パンツであり、接合口が設けられた介護パンツ本体と、
軟質不織布である外層及び高分子吸収層である内層が設けられ、底部が閉鎖され、頂部に袋口が設けられた大小便収集袋と、
中央に大小便収集口が設けられ、その一側が大小便収集袋の袋口に接合され、且つ介護パンツ本体における接合口に接合された収集トレーと、を含む、
ことを特徴とする大小便の逆流漏れの防止と収集の機能を有する使い捨て介護装置。
【００４１】
（付記２）
前記介護パンツ本体の左右両側にそれぞれ上から下へ貫通する開口が設けられ、開口の両側の介護パンツ本体の表面にそれぞれ対応する粘着テープが設けられている、
ことを特徴とする付記１に記載の大小便の逆流漏れの防止と収集の機能を有する使い捨て介護装置。
【００４２】
（付記３）
前記介護パンツ本体は男性用と女性用という２種類のものを含み、男性用介護パンツ本体において前側と後側にそれぞれ１つの接合口が設けられ、女性用介護パンツ本体において後側に１つの接合口が設けられており、前記接合口が円形口であり、人体排泄位置に対応し、接合口の縁の介護パンツ本体の内表面に貼り付けテープが設けられている、
ことを特徴とする付記２に記載の大小便の逆流漏れの防止と収集の機能を有する使い捨て介護装置。
【００４３】
（付記４）
前記介護パンツ本体の外表面が軟質不織布であり、内表面が高分子吸水樹脂と毛羽繊維を複合した高分子吸収層である、
ことを特徴とする付記３に記載の大小便の逆流漏れの防止と収集の機能を有する使い捨て介護装置。
【００４４】
（付記５）
前記大小便収集袋は、内層の高分子吸収層が高分子吸水樹脂と毛羽繊維を複合した吸収層である、
ことを特徴とする付記１に記載の大小便の逆流漏れの防止と収集の機能を有する使い捨て介護装置。
【００４５】
（付記６）
前記大小便収集袋は、広げられた時にその袋口、袋底部及び袋本体の横断面がいずれも円形又は楕円形であり、大小便収集袋の袋口が収集トレーを介して介護パンツ本体における接合口に接合され、介護パンツ本体の前側に接合される大小便収集袋が第１の大小便収集袋であり、その袋口の直径が袋底部の直径より小さく、介護パンツ本体の後側に接合される大小便収集袋が第２の大小便収集袋であり、その袋口の直径が袋底部の直径と同等であり、第２の大小便収集袋において袋口の下に逆流防止環が設けられている、
ことを特徴とする付記５に記載の大小便の逆流漏れの防止と収集の機能を有する使い捨て介護装置。
【００４６】
（付記７）
前記収集トレーは円形であり、その裏面が大小便収集袋の袋口に対して縫い付けて接合することにより固定され、収集トレーの中央の大小便収集口が大小便収集袋の袋口と連通し、収集トレーの直径が介護パンツ本体における接合口の直径より大きく、前記収集トレーが接合口内に配置され、大小便収集袋の袋本体が接合口を介して介護パンツ本体の外へ延出している、
ことを特徴とする付記１に記載の大小便の逆流漏れの防止と収集の機能を有する使い捨て介護装置。
【００４７】
（付記８）
前記大小便収集袋の袋本体と収集トレーが鋭角となって、大小便収集袋の袋本体が介護パンツ本体の接合口から延出した後介護パンツ本体の底部へ傾斜し、大小便収集袋と収集トレーの接合箇所において大小便収集袋の外側への表面に大小便収集袋の長手方向に沿って突起する強化線が設けられている、
ことを特徴とする付記７に記載の大小便の逆流漏れの防止と収集の機能を有する使い捨て介護装置。
【００４８】
（付記９）
前記収集トレーは、その裏面において大小便収集袋の袋口との固定位置の外に、介護パンツ本体における接合口の縁の貼り付けテープに対応して接合する粘着領域が設けられている、
ことを特徴とする付記８に記載の大小便の逆流漏れの防止と収集の機能を有する使い捨て介護装置。
【００４９】
（付記１０）
前記収集トレーは、両面がそれぞれ軟質不織布層であり、２層の軟質不織布層の間に軟質プラスチックフィルム層が介在し、収集トレーの裏面が介護パンツ本体の内表面に向け且つ透明の粘着性被覆材を設けた粘着領域が設けられ、前記収集トレーの表面に環状目盛が設けられている、
ことを特徴とする付記９に記載の大小便の逆流漏れの防止と収集の機能を有する使い捨て介護装置。
【符号の説明】
【００５０】
１  介護パンツ本体
１−１  男性用介護パンツ本体
１−２  女性用介護パンツ本体
２  大小便収集袋        
２−１  第１の大小便収集袋  
２−２  第２の大小便収集袋
３  収集トレー  
４  接合口  
４−１  第１の接合口  
４−２  第２の接合口  
５  外層
６  内層
７  大小便収集口
８  粘着テープ
９  粘着領域
１０  目盛
１１  開口
１２  弾性エッジ
１３  逆流防止環
１４  強化線
１５  袋口との固定位置
【図１】
2020156804.tif 000003
【図２】
2020156804.tif 000004
【図３】
2020156804.tif 000005
【図４】
2020156804.tif 000006
【図５】
2020156804.tif 000007
【図６】
2020156804.tif 000008
【図７】
2020156804.tif 000009
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
左右両側がいずれも開閉可能な紙パンツであり、接合口が設けられた介護パンツ本体と、
軟質不織布である外層及び高分子吸収層である内層が設けられ、底部が閉鎖され、頂部に袋口が設けられた大小便収集袋と、
中央に大小便収集口が設けられ、その一側が大小便収集袋の袋口に接合され、且つ介護パンツ本体における接合口に接合された収集トレーと、を含み、
前記収集トレーは円形であり、その裏面が大小便収集袋の袋口に対して縫い付けて接合することにより固定され、収集トレーの中央の大小便収集口が大小便収集袋の袋口と連通し、収集トレーの直径が介護パンツ本体における接合口の直径より大きく、前記収集トレーが接合口内に配置され、大小便収集袋の袋本体が接合口を介して介護パンツ本体の外へ延出しており、
前記大小便収集袋の袋本体と収集トレーが鋭角となって、大小便収集袋の袋本体が介護パンツ本体の接合口から延出した後介護パンツ本体の底部へ傾斜し、大小便収集袋と収集トレーの接合箇所において大小便収集袋の外側への表面に大小便収集袋の長手方向に沿って突起する強化線が設けられている、
ことを特徴とする大小便の逆流漏れの防止と収集の機能を有する使い捨て介護装置。
【請求項２】
前記介護パンツ本体の左右両側にそれぞれ上から下へ貫通する開口が設けられ、開口の両側の介護パンツ本体の表面にそれぞれ対応する粘着テープが設けられている、
ことを特徴とする請求項１に記載の大小便の逆流漏れの防止と収集の機能を有する使い捨て介護装置。
【請求項３】
前記介護パンツ本体は男性用と女性用という２種類のものを含み、男性用介護パンツ本体において前側と後側にそれぞれ１つの接合口が設けられ、女性用介護パンツ本体において後側に１つの接合口が設けられており、前記接合口が円形口であり、人体排泄位置に対応し、接合口の縁の介護パンツ本体の内表面に貼り付けテープが設けられている、
ことを特徴とする請求項２に記載の大小便の逆流漏れの防止と収集の機能を有する使い捨て介護装置。
【請求項４】
前記介護パンツ本体の外表面が軟質不織布であり、内表面が高分子吸水樹脂と毛羽繊維を複合した高分子吸収層である、
ことを特徴とする請求項３に記載の大小便の逆流漏れの防止と収集の機能を有する使い捨て介護装置。
【請求項５】
前記大小便収集袋は、内層の高分子吸収層が高分子吸水樹脂と毛羽繊維を複合した吸収層である、
ことを特徴とする請求項１に記載の大小便の逆流漏れの防止と収集の機能を有する使い捨て介護装置。
【請求項６】
前記大小便収集袋は、広げられた時にその袋口、袋底部及び袋本体の横断面がいずれも円形又は楕円形であり、大小便収集袋の袋口が収集トレーを介して介護パンツ本体における接合口に接合され、介護パンツ本体の前側に接合される大小便収集袋が第１の大小便収集袋であり、その袋口の直径が袋底部の直径より小さく、介護パンツ本体の後側に接合される大小便収集袋が第２の大小便収集袋であり、その袋口の直径が袋底部の直径と同等であり、第２の大小便収集袋において袋口の下に逆流防止環が設けられている、
ことを特徴とする請求項５に記載の大小便の逆流漏れの防止と収集の機能を有する使い捨て介護装置。
【請求項７】
前記収集トレーは、その裏面において大小便収集袋の袋口との固定位置の外に、介護パンツ本体における接合口の縁の貼り付けテープに対応して接合する粘着領域が設けられている、
ことを特徴とする請求項１に記載の大小便の逆流漏れの防止と収集の機能を有する使い捨て介護装置。
【請求項８】
前記収集トレーは、両面がそれぞれ軟質不織布層であり、２層の軟質不織布層の間に軟質プラスチックフィルム層が介在し、収集トレーの裏面が介護パンツ本体の内表面に向け且つ透明の粘着性被覆材を設けた粘着領域が設けられ、前記収集トレーの表面に環状目盛が設けられている、
ことを特徴とする請求項７に記載の大小便の逆流漏れの防止と収集の機能を有する使い捨て介護装置。